(57)【要約】【課題】簡単な構成で軽量化できるとともにメンテナンス性も良好な物品昇降吊下げ具を提供する。【解決手段】物品昇降吊下げ具１００は、円弧状の曲面で構成された紐掛け部１０１を備えている。紐掛け部１０１は、下方に上下方向に延びる平坦な受圧部１０２が一体的に形成されてハウジング１０３に固定的に支持されている。ハウジング１０３は、押圧体１１０を回動可能に支持するとともに紐規制体１１６を固定的に支持している。押圧体１１０は、受圧部１０２に対向する位置に接近または離隔する押圧部１１１を備えている。押圧部１１１には、押圧体１１０を回動させるロック解除片１１３が取り付けられている。ロック解除片１１３は、下方に向かって帯状に延びる板状に形成されている。紐規制体１１６は、棒状に形成されて押圧部１１１の下方に設けられている。紐体１０４は、紐掛け部１０１を介して押圧部１１１と受圧部１０２との間に挿通されている。【選択図】  図３
2019037345.tif 000002
【特許請求の範囲】
【請求項１】
物品を吊り下げた状態で昇降させることができる物品昇降吊下げ具であって、
長尺に延びて前記物品を吊り下げた状態で支持する紐体を逆Ｕ字状に掛ける紐掛け部と、
前記紐掛け部よりも下方でかつ同紐掛け部に掛けられた前記紐体の内側面に面して設けられた受圧部と、
前記受圧部に対向する位置に回転自在な状態で設けられることで同受圧部に対して接近または離隔して前記紐体を同受圧部に押し付けまたは開放する押圧部を有した押圧体と、
前記紐掛け部から前記受圧部を介して下垂する前記紐体の前記押圧体側への操作によって押されて前記押圧部を前記受圧部から離隔させる方向に前記押圧体を回転させる長さで前記押圧体から下方に延びるロック解除片とを備えることを特徴とする物品昇降吊下げ具。
【請求項２】
請求項１に記載した物品昇降吊下げ具において、さらに、
前記押圧部を前記受圧部に接近させる方向に前記押圧体を回転させるように同押圧体を弾性的に押圧する付勢体を備えることを特徴とする物品昇降吊下げ具。
【請求項３】
請求項１または請求項２に記載した物品昇降吊下げ具において、さらに、
前記押圧部が前記受圧部と前記紐体を挟む位置の下方に前記紐掛け部から前記受圧部を介して下垂する前記紐体の前記押圧体側への変位を規制する紐規制体を備えることを特徴とする物品昇降吊下げ具。
【請求項４】
請求項１ないし請求項３のうちのいずれか１つに記載した物品昇降吊下げ具において、
前記紐体は、ベルトであることを特徴とする物品昇降吊下げ具。
【請求項５】
請求項１ないし請求項４のうちのいずれか１つに記載した物品昇降吊下げ具において、
前記受圧部は、
上下方向に延びる平坦面であることを特徴とする物品昇降吊下げ具。
【請求項６】
請求項１ないし請求項５のうちのいずれか１つに記載した物品昇降吊下げ具において、
前記押圧部が前記受圧部と前記紐体を挟む位置の上方が開放されていることを特徴とする物品昇降吊下げ具。
【発明の詳細な説明】
【技術分野】
【０００１】
本発明は、洗濯物、鉢植えまたは装飾具などの物品を昇降可能に吊下げる物品昇降吊下げ具に関する。
【背景技術】
【０００２】
従来から、洗濯物などの物品を昇降可能に吊下げる物品昇降吊下げ具がある。例えば、下記特許文献１には、物干し具を吊下げるロープを複数の滑車とストッパ手段とを介して支持する物干し具用昇降装置が開示されている。
【先行技術文献】
【特許文献】
【０００３】
【特許文献１】実用新案登録第３１６２８２８号公報
【０００４】
しかしながら、このような上記特許文献１に記載された物品昇降吊下げ具においては、物干し具を吊下げるロープを４つの滑車に巻き回して構成されているため、構造の複雑化および重量化を招くとともにメンテナンスも行い難いという問題があった。
【０００５】
本発明は上記問題に対処するためなされたもので、その目的は、簡単な構成で軽量化できるとともにメンテナンス性も良好な物品昇降吊下げ具を提供することにある。
【発明の概要】
【０００６】
上記目的を達成するため、本発明の特徴は、物品を吊り下げた状態で昇降させることができる物品昇降吊下げ具であって、長尺に延びて物品を吊り下げた状態で支持する紐体を逆Ｕ字状に掛ける紐掛け部と、紐掛け部よりも下方でかつ同紐掛け部に掛けられた紐体の内側面に面して設けられた受圧部と、受圧部に対向する位置に回転自在な状態で設けられることで同受圧部に対して接近または離隔して紐体を同受圧部に押し付けまたは開放する押圧部を有した押圧体と、紐掛け部から受圧部を介して下垂する紐体の押圧体側への操作によって押されて押圧部を受圧部から離隔させる方向に押圧体を回転させる長さで押圧体から下方に延びるロック解除片とを備えることにある。
【０００７】
このように構成した本発明の特徴によれば、物品昇降吊下げ具は、紐体を逆Ｕ字状に掛ける紐掛け部、紐体を挟む押圧部を有する押圧体および受圧部、および紐体を挟んだ状態を解除するために押圧体を回転操作するロック解除片を備えて構成されているため、装置構成の簡単化および軽量化できるとともにメンテナンス性を良好にすることができる。
【０００８】
また、本発明の他の特徴は、前記物品昇降吊下げ具において、さらに、押圧部を受圧部に接近させる方向に押圧体を回転させるように同押圧体を弾性的に押圧する付勢体を備えることにある。
【０００９】
このように構成した本発明の他の特徴によれば、物品昇降吊下げ具は、押圧体を弾性的に押圧して押圧部を受圧部に押圧する付勢体を備えているため、ロック解除片に対する紐体の開放状態を解除した瞬間に付勢体が押圧体を押して押圧部を受圧部に押し付けることで紐体を挟んでロック状態とすることができ吊下げ対象となっている物品の位置を素早く固定することができる。
【００１０】
また、本発明の他の特徴は、前記物品昇降吊下げ具において、さらに、押圧部が受圧部と紐体を挟む位置の下方に紐掛け部から受圧部を介して下垂する紐体の押圧体側への変位を規制する紐規制体を備えることにある。
【００１１】
このように構成した本発明の他の特徴によれば、物品昇降吊下げ具は、押圧部が受圧部と紐体を挟む位置の下方に紐体の押圧体側への変位を規制する紐規制体を備えているため、紐体をロック解除片側に移動させて紐体のロック状態を解除した際に受圧部から離隔した押圧部に紐体が接触することが防止されて紐体を円滑に昇降させることができる。
【００１２】
また、本発明の他の特徴は、前記物品昇降吊下げ具において、紐体は、ベルトであることにある。
【００１３】
このように構成した本発明の他の特徴によれば、物品昇降吊下げ具は、紐体が平坦なベルトで構成されているため、押圧部による押圧面積を広くして紐体の挟持力を確保し易くなるとともに押圧部の押圧による紐体の潰れなどの損傷を防止することができる。
【００１４】
また、本発明の他の特徴は、前記物品昇降吊下げ具において、受圧部は、上下方向に延びる平坦面であることにある。
【００１５】
このように構成した本発明の他の特徴によれば、物品昇降吊下げ具は、受圧部が上下方向に延びる平坦面で構成されているため、紐体の厚さが物品の重量や経年変化によって薄くなった場合であっても押圧部は精度良く受圧部に紐体を押し付けることができる。なお、ここで、受圧部が平坦面であるとは、上下方向に沿って平面的に形成されていること意味しており、滑らかな平滑面のほか、摩擦力を向上させるための凹凸を有する面を含むものである。
【００１６】
また、本発明の他の特徴は、前記物品昇降吊下げ具において、押圧部が受圧部と紐体を挟む位置の上方が開放されていることにある。
【００１７】
このように構成した本発明の他の特徴によれば、物品昇降吊下げ具は、押圧部が受圧部と紐体を挟む位置の上方が開放されているため、押圧部と受圧部との間に最初に紐体を通す際に両者の間に紐体を通し易くすることができる。
【図面の簡単な説明】
【００１８】
【図１】本発明の一実施形態に係る物品昇降吊下げ具の外観構成の概略を押圧体側から見た斜視図である。
【図２】図１に示す物品昇降吊下げ具の外観構成の概略を紐掛け部側から見た斜視図である。
【図３】図１に示す物品昇降吊下げ具の作動状態におけるロック状態を説明するために支持部の一方の側壁を省略して示す断面図である。
【図４】図１に示す物品昇降吊下げ具の作動状態における開放状態を説明するために支持部の一方の側壁を省略して示す断面図である。
【発明を実施するための形態】
【００１９】
以下、本発明に係る物品昇降吊下げ具の一実施形態について図面を参照しながら説明する。図１は、本発明に係る物品昇降吊下げ具１００の外観構成の概略を押圧体１１０側から見た斜視図である。また、図２は、図１に示す物品昇降吊下げ具１００の外観構成の概略を紐掛け部１０１側から見た斜視図である。なお、本明細書において参照する各図は、本発明の理解を容易にするために一部の構成要素を誇張して表わすなど模式的に表していることがあるため、各構成要素間の寸法や比率などは異なっていることがある。この物品昇降吊下げ具１００は、洗濯竿Ｂを昇降自在に吊下げる器具である。なお、洗濯竿Ｂは、洗濯物を干すための棒体であり、所謂物干し竿のことである。また、図１および図２においては、紐体１０４を省略して示している。
【００２０】
物品昇降吊下げ具１００は、紐掛け部１０１を備えている。紐掛け部１０１は、紐体１０４を逆Ｕ字状に掛けるための金属製の部品であり、上面が円弧状に形成されるとともにこの円弧部分の両端部が下方に向かって平面状に延びて形成されている。すなわち、紐掛け部１０１は、側面視で逆Ｕ状に形成されている。紐掛け部１０１における２つの前記平面状に延びる部分の一方は、受圧部１０２を構成している。
【００２１】
受圧部１０２は、図３および図４にそれぞれ示すように、後述する押圧部１１１と協働して紐体１０４を挟む部分であり、紐掛け部１０１における２つの前記平面状に延びる部分のうちの押圧部１１１に対向する側に形成されている。すなわち、受圧部１０２は、本実施形態においては、紐掛け部１０１と一体的に形成されている。この受圧部１０２は、紐体１０４の幅よりも広い幅で上下方向に延びる平坦面で構成されている。また、受圧部１０２は、滑らかな平滑面で構成されている。この紐掛け部１０１は、ハウジング１０３に支持されている。
【００２２】
ハウジング１０３は、紐掛け部１０１、押圧体１１０および紐規制体１１６をそれぞれ支持するとともに物品昇降吊下げ具１００を取付面Ｆに取り付けるための金属製の部品であり、主として、支持部１０３ａおよび張出部１０３ｃで構成されている。支持部１０３ａは、押圧体および紐規制体をそれぞれ支持するとともに物品昇降吊下げ具１００を取付面Ｆに取り付けるための部分であり、断面がコ字状に形成されている。
【００２３】
この場合、支持部１０３ａの上面は、取付面Ｆに取り付けられる部分であり、ビスやボルトなどの固定部品を貫通させる貫通孔の他に操作孔１０３ｂが形成されている。操作孔１０３ｂは、受圧部１０２と押圧部１１１との間に紐体１０４を挿通させる際に棒材（図示せず）などを挿入して受圧部１０２と押圧部１１１との間に紐体１０４を通し易くするための部分であり、受圧部１０２と押圧部１１１とが紐体１０４を挟む部分に対向する部分に形成された貫通孔で構成されている。
【００２４】
張出部１０３ｃは、物品昇降吊下げ具１００を取付面Ｆに取り付けるための部分であり、支持部１０３ａの端部から張り出した板状に形成されている。この場合、張出部１０３ｃは、ビスやボルトなどの固定部品を貫通させる貫通孔が形成されている。なお、図３および図４においては、支持部１０３ａにおける一方の側面を省略して示している。
【００２５】
紐体１０４は、物品昇降吊下げ具１００によって昇降自在に吊下げられる対象物である洗濯竿Ｂを吊り下げた状態で支持するための部品であり、平坦に延びるベルトで構成されている。本実施形態においては、紐体１０４は、樹脂製繊維を織った長尺状の荷締めベルトまたは荷締めバンドで構成されている。
【００２６】
この紐体１０４は、紐掛け部１０１に掛けられた状態で一方の端部が環状に形成されて洗濯竿Ｂを貫通させた状態で支持するとともに、他方の端部が自由端となっている。この場合、紐体１０４の長さは、洗濯竿Ｂを最も下方に下げた位置で紐体１０４の前記他方の端部である自由端側を使用者が引っ張り操作可能な長さに形成されている。
【００２７】
押圧体１１０は、紐体１０４を受圧部１０２に押し付けまたはこの押し付け状態を解除するための金属製の部品であり、主として、押圧部１１１、取付部１１２およびロック解除片１１３をそれぞれ備えている。押圧部１１１は、受圧部１０２に紐体１０４を押し付けて挟持するための部分であり、受圧部１０２に対向する位置に同受圧部１０２側に凸状に張り出す円弧状の曲面で構成されている。この場合、押圧部１１１の表面には、紐体１０４との摩擦力を向上させるために網目状の凹凸であるローレット加工が施されている。また、押圧部１１１は、紐体１０４の幅よりも幅広でかつ受圧部１０２の幅よりも狭い幅で形成されている。この押圧部１１１は、長尺状の金属板の先端部を円弧状の曲面に折り曲げて成形される。
【００２８】
取付部１１２は、押圧部１１１を受圧部１０２に対向する位置に位置させるとともに同位置から下方側に回転自在な状態で支持するための部分であり、押圧部１１１が張り出す側とは反対側の背面側に板状に張り出して形成されている。すなわち、取付部１１２は、押圧部１１１と同じ金属板を折り曲げることで一体的に成形されている。
【００２９】
この取付部１１２は、ハウジング１０３の支持部１０３ａを貫通した状態で取り付けられている支持軸１１４を介してハウジング１０３に対して回転自在な状態で取り付けられている。この場合、取付部１１２は、押圧部１１１が受圧部１０２に対して紐体１０４の厚さ以下の隙間となる位置と、紐体１０４の厚さ以上の隙間となる位置との間で回動する位置するように支持部１０３ａに取り付けられる。この場合、受圧部１０２と押圧部１１１との間の紐体１０４の厚さ以上の隙間は、２倍以上かつ４倍以下程度が好ましい。
【００３０】
ロック解除片１１３は、押圧体１１０を回転させて押圧部１１１による紐体１０４の受圧部１０２への押圧状態を解除するための部品であり、金属板を帯状に延びる板状に形成して構成されている。この場合、ロック解除片１１３は、紐掛け部１０１から受圧部１０２を介して下垂する紐体１０４の押圧体１１０側への操作によって押されて押圧部１１１を受圧部１０２から離隔させる方向に押圧体１１０を回転させることができる長さに形成されている。具体的には、ロック解除片１１３は、押圧部１１１から５ｃｍ〜２０ｃｍの長さが好適である。
【００３１】
このロック解除片１１３には、凸部１１３ａおよび逃げ片１１３ｂがそれぞれ形成されている。凸部１１３ａは、ロック解除片１１３の剛性を向上させるための部分であり、ロック解除片１１３の中心部を長手方向に沿って凸状に突出させて加工硬化させた部分である。この凸部１１３ａには、付勢体１１５が嵌合している。
【００３２】
逃げ片１１３ｂは、紐体１０４をロック解除片１１３に接触させて押圧体１１０を回転させる際に紐体１０４がロック解除片１１３の下端部のみに接触して損傷することを防止するための部分であり、ロック解除片１１３の下端部分が紐体１０４とは反対側に傾斜して形成されている。これによりロック解除片１１３は、紐体１０４と面接触することになるため、洗濯竿Ｂからの荷重を受けた場合であっても紐体１０４が損傷することを抑制することができる。このロック解除片１１３は、上端部が押圧部１１１の下端部に対してカシメ加工によって一体的に連結されている。
【００３３】
付勢体１１５は、押圧部１１１を受圧部１０２に接近させる方向に押圧体１１０を回転させるように同押圧体１１０を弾性的に押圧する部品であり、金属製のねじりコイルバネで構成されている。この付勢体１１５は、コイル部分が支持軸１１４に支持された状態でねじりコイルバネにおける一方の端部が張出部１０３ｃの裏面を押圧するとともに他方の端部が凸部１１３ａ内に挿し込まれている。
【００３４】
紐規制体１１６は、紐掛け部１０１から受圧部１０２を介して下垂する紐体１０４の押圧体１１０側への変位を規制するための部品であり、金属製の棒体で構成されている。この紐規制体１１６は、押圧部１１１が受圧部１０２と紐体１０４を挟む位置の下方に紐体１０４と平行な向きで支持部１０３ａの内側に架設された状態で取り付けられている。
【００３５】
（物品昇降吊下げ具１００の作動）
次に、このように構成された物品昇降吊下げ具１００の作動について説明する。まず、使用者は、物品昇降吊下げ具１００を用意して取付面Ｆに取り付ける。具体的には、使用者は、２つの物品昇降吊下げ具１００におけるハウジング１０３を天井などの取付面Ｆにビスなどを用いてそれぞれ取り付ける。
【００３６】
この場合、使用者は、紐体１０４を物品昇降吊下げ具１００に予め取り付けておくとよい。具体的には、使用者は、ロック解除片１１３を図示時計回りに回転させることにより押圧部１１１を受圧部１０２から離隔させた状態で紐掛け部１０１側または受圧部１０２側から紐体１０４を挿し込んで受圧部１０２と押圧部１１１との間に通す。この場合、使用者は、紐掛け部１０１側から挿し込まれた紐体１０４または受圧部１０２側から挿し込まれた紐体に対して操作孔１０３ｂから挿し込んだ棒材で受圧部１０２側または紐掛け部１０１側に紐体１０４の先端部を導くことができる。
【００３７】
次に、使用者は、２つの物品昇降吊下げ具１００間に洗濯竿Ｂを水平な姿勢で保持させる。具体的には、使用者は、紐掛け部１０１から下垂する紐体１０４の先端部を環状に形成してこの環中に洗濯竿Ｂを通して保持させる。この場合、２つの物品昇降吊下げ具１００は、紐体１０４が押圧部１１１によって受圧部１０２に押し付けられて挟持されたロック状態であるため、保持している洗濯竿Ｂが落下することはない。そして、使用者は、物品昇降吊下げ具１００の使用を開始する（図３参照）。
【００３８】
なお、紐掛け部１０１に逆Ｕ字状に掛けられた紐体１０４のうち、受圧部１０２と押圧部１１１との間を介して下垂する側を操作側の紐体１０４と称し、その反対側、すなわち、紐掛け部１０１から下垂して洗濯竿Ｂが保持される側を保持側の紐体１０４と称す。
【００３９】
使用者は、洗濯竿Ｂに洗濯物を保持させた後、引き上げる。具体的に、使用者は、操作側の紐体１０４をロック解除片１１３側に引いてロック解除片１１３を図示時計回りに回動させる。これにより、押圧体１１０は、押圧部１１１が図示時計回りに回動して受圧部１０２から離隔するため、紐体１０４を保持したロック状態が解除される（図４参照）。したがって、使用者は、操作側の紐体１０４を上下方向に操作することにより洗濯竿Ｂを昇降させることができる（図４において破線矢印参照）。この場合、物品昇降吊下げ具１００は、紐規制体１１６によって紐規制体１１６よりも上方の紐体１０４の押圧部１１１側への変位が規制されているため、紐体１０４を円滑に昇降させることができる。
【００４０】
次に、作業者は、洗濯竿Ｂを好みの高さ位置に位置させた場合には、操作側の紐体１０４をロック解除片１１３とは反対側に引く。この場合、押圧体１１０は、付勢体１１５が押圧部１１１を受圧部１０２側に常に押圧している。これにより、押圧体１１０は、押圧部１１１が図示反時計回りに回動して受圧部１０２側に移動するため、紐体１０４が受圧部１０２に押し付けられて押圧部１１１と受圧部１０２とで保持されたロック状態となる（図３参照）。
【００４１】
したがって、使用者は、操作側の紐体１０４から手を放しても洗濯竿Ｂが落下することはない。この場合、押圧体１１０は、操作側の紐体１０４が洗濯竿Ｂからの荷重によって紐掛け部１０１側に引っ張られることで押圧部１１１がより一層受圧部１０２側に回動する。これにより、押圧部１１１は、より一層強い力で紐体１０４を受圧部１０２に押し付けて紐体１０４を保持する。
【００４２】
なお、使用者は、ロック解除片１１３を傾倒させた状態において紐体１０４から手を放した場合であっても、付勢体１１５の弾性力および前記引き込み作用によって紐体１０４はロック状態となる。また、物品昇降吊下げ具１００は、紐体１０４のロック状態において使用者が操作側の紐体１０４を下方に引いた場合には、同下方に引かれた紐体１０４によって押圧部１１１が僅かに図示時計回りに回動するためロック状態が緩み洗濯竿Ｂを引き上げることができる。
【００４３】
次に、使用者は、洗濯竿Ｂを下げる場合には、前記と同様にして、操作側の紐体１０４をロック解除片１１３側に引いてロック解除片１１３を図示時計回りに回動させる。これにより、押圧体１１０は、押圧部１１１が図示時計回りに回動して受圧部１０２から離隔するため、紐体１０４を保持したロック状態が解除される。したがって、使用者は、操作側の紐体１０４を上昇させることで洗濯竿Ｂを下降させることができる。そして、使用者は、前記と同様にして、操作側の紐体１０４をロック解除片１１３とは反対側に引くことで紐体１０４をロック状態として洗濯竿Ｂの高さを固定することができる。
【００４４】
上記作動説明からも理解できるように、上記実施形態によれば、物品昇降吊下げ具１００は、紐体１０４を逆Ｕ字状に掛ける紐掛け部１０１、紐体１０４を挟む押圧部１１１を有する押圧体１１０および受圧部１０２、および紐体１０４を挟んだ状態を解除するために押圧体１１０を回転操作するロック解除片１１３を備えて構成されているため、装置構成の簡単化および軽量化できるとともにメンテナンス性を良好にすることができる。
【００４５】
さらに、本発明の実施にあたっては、上記実施形態に限定されるものではなく、本発明の目的を逸脱しない限りにおいて種々の変更が可能である。
【００４６】
例えば、上記実施形態においては、紐掛け部１０１は、円弧状の曲面に形成した。しかし、紐掛け部１０１は、紐体１０４を掛けることができるように構成されていればよい。したがって、紐掛け部１０１は、断面形状が楕円の曲面のほか、断面形状が方形や三角形状などの多角形状に形成されていれてもよい。さらに、紐掛け部１０１は、円柱状または円筒状の回転体であるローラで形成されていてもよい。
【００４７】
また、上記実施形態においては、受圧部１０２は、滑らかな平坦面で構成した。これにより、受圧部１０２は、紐体１０４のロック状態でも洗濯竿Ｂを引き上げることができる。しかし、受圧部１０２は、紐掛け部１０１の下方で押圧部１１１と協働して紐体１０４を挟んで保持することができるように構成されていればよい。したがって、受圧部１０２は、凹凸が形成された平坦面で構成することもできる。これによれば、受圧部１０２は、紐体１０４を完全にロック状態とすることもできる。また、受圧部１０２は、押圧部１１１と同様の曲面で構成することもできる。また、受圧部１０２は、紐掛け部１０１とは別体で構成することもできる。
【００４８】
また、上記実施形態においては、押圧部１１１は、凹凸を有した曲面で構成した。しかし、押圧部１１１は、受圧部１０２と協働して紐体１０４を挟んで保持することができるように構成されていればよい。したがって、押圧部１１１は、滑らかな曲面のほか、断面形状が方形や三角形状などの多角形状に形成することもできる。
【００４９】
また、上記実施形態においては、ロック解除片１１３は、帯状に延びる板状体に凸部１１３ａおよび逃げ片１１３ｂをそれぞれ有して構成した。しかし、ロック解除片１１３は、凸部１１３ａおよび逃げ片１１３ｂの少なくとも一方を省略して構成することもできる。
【００５０】
また、上記実施形態においては、物品昇降吊下げ具１００は、ねじりコイルバネからなる付勢体１１５を備えて構成した。しかし、付勢体１１５は、押圧部１１１を受圧部１０２側に押圧することができればねじりコイルバネ以外のもの、例えば、板バネなどで構成することもできる。また、物品昇降吊下げ具１００は、付勢体１１５を省略して構成することもできる。この場合、物品昇降吊下げ具１００は、人手によってロック解除片１１３を操作することで押圧部１１１を受圧部１０２に押し付けることができる。また、物品昇降吊下げ具１００は、ロック解除片１１３に錘など付加したりロック解除片１１３自体の重さを重くするなどしてロック解除片１１３が積極的に下降するように構成することで押圧部１１１が受圧部１０２側に変位するように構成することもできる。
【００５１】
また、上記実施形態においては、物品昇降吊下げ具１００は、紐規制体１１６を備えて構成した。しかし、物品昇降吊下げ具１００は、紐規制体１１６を省略して構成することもできる。
【００５２】
また、上記実施形態においては、物品昇降吊下げ具１００は、紐体１０４は、ベルトで構成した。しかし、紐体１０４は、断面形状が円形などのロープで構成することもできる。
【００５３】
また、上記実施形態においては、ハウジング１０３は、押圧部１１１と受圧部１０２との接触部分の上方における支持部１０３ａに操作孔１０３ｂを設けた。この場合、操作孔１０３ｂは、紐体１０４を押圧部１１１と受圧部１０２との間に挿通させ易くするための部分である。したがって、ハウジング１０３は、押圧部１１１と受圧部１０２との接触部分の上方を開放状態で構成、すなわち、支持部１０３ａを省略して構成することもできる。なお、紐体１０４の押圧部１１１と受圧部１０２との間への挿通は操作孔１０３ｂが存在しなくても可能であるため、ハウジング１０３は操作孔１０３ｂを省略して構成することもできる。
【００５４】
また、上記実施形態においては、紐掛け部１０１、受圧部１０２、ハウジング１０３、押圧体１１０、付勢体１１５および紐規制体１１６を金属材で構成した。しかし、紐掛け部１０１、受圧部１０２、ハウジング１０３、押圧体１１０、付勢体１１５および紐規制体１１６のうちの少なくとも一部を金属材以外の材料、例えば、樹脂材で構成することもできる。
【００５５】
また、上記実施形態においては、物品昇降吊下げ具１００は、洗濯竿Ｂを吊下げ対象の物品とした。しかし、物品昇降吊下げ具１００は、洗濯竿Ｂ以外の物品を吊下げ対象とすることができるものである。したがって、物品昇降吊下げ具１００は、例えば、観葉植物などの鉢植えや室内装飾具の物品とすることができる。
【符号の説明】
【００５６】
Ｂ…洗濯竿、Ｆ…取付面、
１００…物品昇降吊下げ具、１０１…紐掛け部、１０２…受圧部、１０３…ハウジング、１０３ａ…支持部、１０３ｂ…操作孔、１０３ｃ…張出部、１０４…紐体、
１１０…押圧体、１１１…押圧部、１１２…取付部、１１３…ロック解除片、１１３ａ…凸部、１１３ｂ…逃げ片、１１４…支持軸、１１５…付勢体、１１６…紐規制体。
【図１】
2019037345.tif 000003
【図２】
2019037345.tif 000004
【図３】
2019037345.tif 000005
【図４】
2019037345.tif 000006